(57)【要約】【課題】計測条件パラメータの設定作業を速やかに短時間で実行可能な医用画像診断装置を実現する。【解決手段】ユーザーがＭＲＩ装置のパラメータの設定を行うと（ステップ３ａ）、設定値が推奨値に対しどこに位置するかの判定し（ステップ３ｂ）、推奨値の閾値内にある場合は再度パラメータを設定するか否かをユーザーが判断し（ステップ３ｃ）、入力する場合はステップ３ｂに戻る。再度設定を行わない場合は計測パラメータの設定を完了とする（ステップ３ｇ）。推奨値判定で推奨値範囲閾値からある一定範囲領域を超えた場合は文宇色、文宇背景色、文字枠色を変更してユーザーに通知する（ステップ３ｄ）。設定したパラメータ以外で推奨値を拡大できる場合はその旨を表示し（ステップ３ｅ）、他のパラメータを設定した場合の条件により推奨閾値を変更する（ステップ３ｆ）。【選択図】      図３
2008000176.tif 000002
【特許請求の範囲】
【請求項１】
医用画像診断装置において、
被検体の計測条件パラメータの入力手段と、
上記入力手段から入力された計測条件パラメータを表示する表示手段と、
上記入力手段から入力された計測条件パラメータと、複数の計測条件パラメータから決定される各計測パラメータ推奨範囲限界値との差を算出し、算出した差に応じて、そのレベルが変化する警報を出力させる警報制御手段と、
を備えることを特徴とする医用画像診断装置。
【請求項２】
請求項１記載の医用画像診断装置において、上記警報制御手段は、上記入力された計測パラメータが上記計測パラメータ推奨範囲内である場合と推奨範囲外である場合とで、上記表示手段によるパラメータの表示色、パラメータを囲む枠の表示色又はパラメータを囲む枠内の表示色を変えることを特徴とする医用画像診断装置。
【請求項３】
請求項１記載の医用画像診断装置において、音声発生手段を備え、上記警報制御手段は、上記入力された計測パラメータが上記計測パラメータ推奨範囲外である場合は、上記音声発生手段により、それを示す音声を発生させ、上記推奨範囲限界値との差に応じて音声を変化させることを特徴とする医用画像診断装置。
【請求項４】
請求項１記載の医用画像診断装置において、上記計測条件パラメータは、上記表示手段により表示される図形の位置により表示され、上記警報制御手段は、上記図形の位置と、上記各計測パラメータ推奨範囲限界値の位置との距離が一定値以内である場合と、一定値を越える場合とで、上記図形の表示色を変えることを特徴とする医用画像診断装置。
【請求項５】
請求項１記載の医用画像診断装置において、上記計測条件パラメータは、上記表示手段により表示される図形の位置により表示され、上記入力手段は、図形移動手段を備え、上記警報制御手段は、上記図形の位置と上記各計測パラメータ推奨範囲限界値の位置との距離が一定値以内である場合と、一定値を越える場合とで、上記図形移動手段による図形移動操作量を変化させることを特徴とする医用画像診断装置。
【請求項６】
請求項１記載の医用画像診断装置において、音声発生手段を備え、上記計測条件パラメータは、上記表示手段により表示される図形の位置により表示され、上記警報制御手段は、上記図形の位置と、上記各計測パラメータ推奨範囲限界値の位置との距離が一定値を越える場合には、上記音声発生手段により、それを示す音声を発生させ、上記推奨範囲限界値との差に応じて音声を変化させることを特徴とする医用画像診断装置。
【請求項７】
請求項１〜６のうちのいずれか一項記載の医用画像診断装置において、この医用画像診断は、磁気共鳴イメージング装置であることを特徴とする医用画像診断装置。
【請求項８】
医用画像診断装置の被検体の計測パラメータ設定方法において、
パラメータ入力手段から入力された、被検体の設定すべき計測条件パラメータを表示し、
上記計測条件パラメータと、複数の計測条件パラメータから決定される各計測パラメータ推奨範囲限界値との差を算出し、算出した差に応じて、そのレベルが変化する警報を出力させることを計測パラメータ設定方法。
【発明の詳細な説明】
【技術分野】
【０００１】
本発明は、医用画像診断装置及び医用画像診断装置におけるパラメータ設定方法に関する。
【背景技術】
【０００２】
磁気共鳴イメージング装置（ＭＲI装置）等の医用画像診断装置では、計測条件のパラメータを操作者が設定する必要がある。この計測パラメータは、設定範囲内で無ければならないため、操作者が設定外のパラメータを設定した場合は、そのパラメータが設定範囲外であることを装置が操作者に通知している。
【０００３】
パラメータの設定に関しては、医用画像診断装置に関するものではないが、特許文献１に記載された技術がある。この特許文献１に記載された技術は、入力するパラメータの数値が、入力可、不可であるかを、表示画面の背景色、背景輝度、文宇色、文宇輝度、枠色、枠輝度、背景ブリンク、文宇ブリンク、枠ブリンク、背景パターン、文字アンダーライン、文字取消線、枠線種、枠線太さ等を用いて、操作者に通知する技術である。
【０００４】
【特許文献１】特開平５−２７４１０３号公報
【発明の開示】
【発明が解決しようとする課題】
【０００５】
操作者がMRI装置等の医用画像診断装置の計測パラメータを設定す場合、設定するパラメータ数が非常に多い為、計測パラメータの数値限界を事前に把握することができない。
【０００６】
このため、従来技術においては、入力できないパラメータや、数値限界を超えたパラメータ等を設定した場合は、装置によりそれが通知されるが、パラメータ設定後にその値が不可であることが通知されるため、新たなパラメータ数値を入力しなければならず、その再入力する値も数値限界内か否かも判断することができなかった。
【０００７】
したがって、従来技術にあっては、計測パラメータの設定をスムーズに行うことができず、診断の時間を長期化させる要因となっていた。
【０００８】
本発明の目的は、計測条件パラメータの設定作業を速やかに短時間で実行可能な医用画像診断装置及びパラメータ設定方法を実現することである。
【課題を解決するための手段】
【０００９】
本発明の医用画像診断装置は、被検体の計測条件パラメータの入力手段から入力された計測条件パラメータを表示手段により表示し、入力手段から入力された計測条件パラメータと、複数の計測条件パラメータから決定される各計測パラメータ推奨範囲限界値との差を警報制御手段により算出し、算出した差に応じて、そのレベルが変化する警報を出力させる。
【００１０】
また、本発明の医用画像診断装置の被検体の計測パラメータ設定方法は、パラメータ入力手段から入力された、被検体の設定すべき計測条件パラメータを表示し、計測条件パラメータと、複数の計測条件パラメータから決定される各計測パラメータ推奨範囲限界値との差を算出し、算出した差に応じて、そのレベルが変化する警報を出力させる。
【発明の効果】
【００１１】
計測条件パラメータの設定作業を速やかに短時間で実行可能な医用画像診断装置及びパラメータ設定方法を実現でき、最良の画像を取得することができる。
【発明を実施するための最良の形態】
【００１２】
以下、本発明の実施形態を添付画面に基づいて詳細に説明する。  
図１は本発明が適用されるMRI装置の全体概略構成図である。このMRI装置は、核磁気共鳴（ＮＭＲ）現象を利用して被検体の断層画像を得るものであり、パラメータ設定装置１、ＭＲ制御ユニット２、ガントリー３を備える。
【００１３】
パラメータ設定装置１は、ＣＰＵ１ａと、ディスプレイ１ｂと、マウス１ｃ（図形移動手段）と、キーボード１ｄとを備える。ユーザー（操作者）がディスプレイ１ｂに表示されている画面を見てマウス１ｃ、キーボード１ｄを使用してパラメータを入力すると、ＣＰＵ１ａ（警報制御手段）でユーザーにより設定された計測条件パラメータをチェックする。
【００１４】
そして、ＣＰＵ１ａは、ＭＲ制御ユニット２に計測条件パラメータを送信し、ＭＲ制御ユニット２内でシーケンスを生成し、ガントリー３より静磁場、傾斜磁場、高周波磁場を発生させる。なお、図示していないが、ＣＰＵ１ａに動作制御される音声発生器が備えられている。
【００１５】
図２は、本発明におけるディスプレイ１ｂの表示画面例を示す図である。ユーザーはパラメータの変更を行う場合、ディスプレイ１ｂに表示されている入力設定項目部に任意で入力を行い、パラメータの設定変更を行う。数値の入力によりパラメータを変更する場合は数値によるパラメータ設定領域４上で直接数値を入力したり、マウスによりある一定間隔でインクリメント、デクリメントさせて入力を行う。
【００１６】
また、図形によるパラメータ設定領域５上でマウス１ｃよりパラメータ入力補助図形を使用してパラメータの入力を行う。
【００１７】
図３は、本発明の第１の実施形態におけるＭＲＩ装置の数値による計測パラメータ設定値の推奨値判定表示方法の動作フローチャートである。図３において、ユーザーがＭＲＩ装置のパラメータの設定を行うと（ステップ３ａ）、設定された値が推奨値からどのような範囲に位置するかの判定を行う（ステップ３ｂ）。
【００１８】
ステップ３ｂにおける判定で推奨値の閾値内にある場合は、再度パラメータを設定するか否かをユーザーが判断し（ステップ３ｃ）、入力する場合は、ステップ３ｂに戻り、再度推奨値判定を行う。ステップ３ｃで、再度設定を行わない場合は計測パラメータの設定を完了とする（ステップ３ｇ）。
【００１９】
ステップ３ｂにおける推奨値判定で推奨値範囲閾値からある一定範囲の領域を超えた場合は、文宇色、文宇背景色、文字枠色を変更することでユーザーに通知を行う（ステップ３ｄ）。
【００２０】
また、ユーザーが設定したパラメータ以外の設定で推奨値を拡大することができる場合はユーザーにその旨を画面で表示することで通知を行い（ステップ３ｅ）、ユーザーが他のパラメータを設定した場合の条件によりパラメータ推奨閾値を変更する（ステップ３ｆ）。パラメータを変更しない場合は再度パラメータの設定を行うかをユーザーに判断させる（ステップ３ｇ）。
【００２１】
なお、ステップ３ｅにおいて、上記推奨値を拡大できる場合は、ポップアップ画面又は図２に示した画面等の空き領域に、その注意表示及び変更すべき他のパラメータを表示する。
【００２２】
図４は、本発明の第１の実施形態において、パラメータ値が推奨値内のどの位のレベルに位置にするかの表示説明図である。図４の（Ａ）において、背景色の更による推奨値外のユーザー通知に関して、推奨値内にパラメータが設定されている場合が数値４ａ−１であり、推奨値からある一定の範囲外になつた場合が数値４ｂ−１であり、さらに推奨値より範囲が超えた場合が数値４ｃ−１である。数値４ａ−１→４ｂ−１→４ｃ−１となるに従い、数値が記載された枠内の数値の背景色を変更する。
【００２３】
図４の（Ｂ）において、推奨値内にパラメータが設定されている場合が数値４ａ−２、推奨値からある一定の範囲外になった場合が数値４ｂ−２、さらに推奨値より範囲が外れた場合が数値４ｃ−２である。数値４ａ−２→４ｂ−２→４ｃ−２となるに従い、枠内の数値色を変更する。
【００２４】
図４の（Ｃ）において、推奨値内にパラメータが設定されている場合が数値４ａ−３、推奨値からある一定の範囲外になった場合が数値４ｂ−３、さらに推奨値より範囲が外れた場合が数値４ｃ−３である。数値４ａ−３→４ｂ−３→４ｃ−３となるに従い、数値が記載された枠自体の色を変更する。
【００２５】
以上のように、本発明の第１の実施形態によれば、設定したパラメータの数値が推奨値外であることを表示色で示し、かつ、推奨値から位置尺から離れるに従って、その表示色が変化するので、入力したパラメータが推奨値外であることのみならず、その推奨値からどの位離れているかを把握することができ、再入力値の判断が容易となる。
【００２６】
これにより、計測条件パラメータの設定作業を速やかに短時間で実行可能となる。
【００２７】
次に本発明の第２の実施形態について説明する。  
図５は、本発明の第２の実施形態におけるＭＲＩ装置の図形移動による計測パラメータ設定値の推奨値判定表示方法の動作フローチャートである。図５において、ユーザーがＭＲＩ装置のパラメータの設定を行うと（ステップ５ａ）、設定された値が限界値からどのような範囲に位置するか（限界値近似）の判定を行う（ステップ５ｂ）。
【００２８】
ステップ５ｂで限界値を超えていない場合は、再度、パラメータを設定するか否かをユーザーが判断し（ステップ５ｃ）、入力する場合は、ステップ５ｂに戻り、再度推奨値判定を行う。ステップ５ｃで再度設定を行わない場合はパラメータの設定を完了とする（ステップ５ｇ）。
【００２９】
ステップ５ｂで、限界値から一定範囲内となっている場合は図形色を変更することでユーザーに通知を行う（ステップ５ｄ）。また、ユーザーが設定したパラメータ以外の設定で、その限界値の設定を変更することができる場合はユーザーにその旨を画面で表示し通知を行い（ステップ５ｅ）、ユーザーが他のパラメータを設定した場合の条件によりパラメータ設定限界値を拡大する（ステップ５ｆ）。パラメータを変更しない場合は再度パラメータの設定を行うかをユーザーに判断させる（ステップ５ｇ）。
【００３０】
図６は、本発明の第２の実施形態におけるＭＲＩ装置の図形回転時の限界値（破線）表示に関しての説明図である。図６において、限界値に近似していないパラメータに設定されている場合（６ａ、６ｂ）は、一定の表示色とする。そして、限界値にある一定の範囲内に近づいた場合（６ｃ）に図形色を変える。さらに、限界値に近づいた場合（６ｄ）は図形色をさらに変更する。
【００３１】
図７は、本発明の第２の実施形態におけるＭＲＩ装置の図形移動時の限界値表示に関しての表示説明図である。図７において、限界値に近似していないパラメータに設定されている場合が（７ａ、７ｂ）の状態で、ある一定色で表示される。限界値にある一定の範囲内に近づいた場合（７ｃ）に図形色を変える。さらに限界値の範囲に近づいた場合（７ｄ）は図形色をさらに変更する。
【００３２】
図８は、第２の実施形態におけるＭＲＩ装置の図形変更時の限界値通知に関しての表示説明図である。図８において、限界値から近くない値にパラメータが設定されている場合（８ａ（実線）、８ｂ）は、ある一定色で表示される。限界値にある一定の範囲内に近づいた場合（８ｃ）に図形色を変える。さらに限界値の範囲に近づいた場合（８ｄ）は図形色をさらに変更する。
【００３３】
以上のように、本発明の第２の実施形態によれば、図形が設定限界に近づくにつれて、その表示色が変化するので、入力したパラメータが限界値にどの位づいているかを把握することができ、再入力値の判断が容易となる。
【００３４】
これにより、計測条件パラメータの設定作業を速やかに短時間で実行可能となる。
【００３５】
図９は本発明の第３の実施形態におけるＭＲＩ装置の図形の移動量による計測パラメータ設定値の推奨値判定表示方法の動作フローチャートである。図９において、ユーザーがＭＲＩ装置のパラメータの設定を行なうと（ステップ９ａ）、設定された値が限界値からどのような範囲に位置するか（限界値近似）の判定を行う（ステップ９ｂ）。
【００３６】
ステップ９ｂで限界値を超えていない場合は、再度、パラメータを設定するか否かをユーザーが判断し（ステップ９ｃ）、入力する場合はステップ９ｂに戻り、再度推奨値判定を行う。ステップ９ｃで再度設定を行わない場合はパラメータの設定を完了とする（ステップ９ｇ）。
【００３７】
ステップ９ｂで、限界値から一定範囲内となっている場合は、マウスでの図形移動量を、一定範囲外の場合よりも少なく変更する（マウスの移動量に対する図形の移動量を少なくする）ことでユーザーに通知を行う（ステップ９ｄ）。また、ユーザーが設定したパラメータ以外の設定で、その限界値を変更することができる場合はユーザーにその旨を画面で表示し通知を行い（ステップ９ｅ）、ユーザーが他のパラメータを設定した場合の条件によりパラメータ設定限界値を変更する（ステップ９ｆ）。パラメータを変更しない場合は再度パラメータの設定を行うかをユーザーに判断させる（ステップ９ｇ）。
【００３８】
図１０は、第３の実施形態におけるＭＲＩ装置の図形回転時の限界値（破線）接近に関しての説明図である。図１０において、限界値から一定範囲外にパラメータが設定されている場合（１０ａ、１０ｂ）のマウスの移動量に対する図形の移動量に対して、パラメータが、限界値から一定範囲内に近づいた場合（１０ｃ）のマウスの移動量に対する図形の移動量を小さくする。
【００３９】
さらに限界値に近づいた場合（１０ｄ）は、マウスの移動量に対する図形の移動量をさらに小さくする。
【００４０】
図１１は、第３の実施形態におけるＭＲＩ装置の図形移動時の限界値表示に関して表示説明図である。図１１において、限界値から一定範囲外にパラメータが設定されている場合（１１ａ、１１ｂ）のマウスの移動量に対する図形の移動量に対して、パラメータが、限界値から一定範囲内に近づいた場合（１１ｃ）のマウスの移動量に対する図形の移動量を小さくする。
【００４１】
さらに限界値に近づいた場合（１１ｄ）のマウスの移動量に対する図形の移動量を小さくする。
【００４２】
図１２は、第３の実施形態におけるＭＲＩ装置の図形変更時の限界値に近づくにつれて移動量を小さくことの説明図である。図１２において、限界値に近くない値にパラメータが設定されている場合（１２ａ、１２ｂ）のマウスの移動量に対する図形の移動量に対して、限界値からある一定範囲内に近づいた場合（１２ｃ）の図形の移動量を小さくする。さらに限界値の範囲に近づいた場合（１２ｄ）は図形の移動量をさらに小さくする。
【００４３】
以上のように、本発明の第３の実施形態によれば、図形が設定限界に近づくにつれて、マウスの移動量に対する図形の移動量が変化するので、入力したパラメータが限界値にどの位近づいているかを把握することができ、再入力値の判断が容易となる。
【００４４】
これにより、計測条件パラメータの設定作業を速やかに短時間で実行可能となる。
【００４５】
図１３は本発明の第４の実施形態におけるＭＲＩ装置の計測パラメータ設定値の推奨値判定表示方法の動作フローチャートである。図１３において、ユーザーがパラメータの設定を行なうと（ステップ１３ａ）、設定された値が推奨値からどのような範囲に位置するかの判定を行う（ステップ１３ｂ）。
【００４６】
ステップ１３ｂで、推奨値から一定閾値内となっている場合は、再度、パラメータを設定するか否かをユーザーが判断し（ステップ１３ｃ）、入力する場合はステップ１３ｂに戻り、再度推奨値判定を行う。再度設定を行わない場合は計測パラメータの設定を完了とする（ステップ１３ｇ）。
【００４７】
ステップ１３ｂで、推奨値範囲閾値外となっている場合は、音声でユーザーに通知を行う。また、ユーザーが設定したパラメータ以外の設定で推奨値を拡大することができる場合はユーザーにその旨を画面で表示することで通知を行う（ステップ１３ｅ）。そして、ユーザーが他のパラメータを設定した場合の条件によりパラメータ推奨閾値を変更する（ステップ１３ｆ）。パラメータを変更しない場合は、再度パラメータの設定を行うか否かをユーザーに判断させる（ステップ１３ｇ）。
【００４８】
図１４は、本発明の第４の実施形態における音声により推奨値から外れたことを音声で通知する説明図である。図１４において、推奨値内にパラメータが設定されている場合（１４ａ）は音声は発生しない。推奨値からある一定の範囲外になった場合（１４ｂ）には音声により通知を行う。さらに推奨値より範囲が超えた場合には、音の発生間隔を短くした、又は大きな音又は周波数を変化させた音声にて通知を行う（１４ｃ）。
【００４９】
以上のように、本発明の第４の実施形態においても、第１の実施形態と同様な効果を得ることができる。
【００５０】
図１５は本発明の第５の実施態形におけるＭＲＩ装置の図形の移動量による計測パラメータ設定値の推奨値判定表示方法の動作フローチャートである。図１５において、ユーザーがパラメータの設定を行うと（ステップ１５ａ）、設定された値が限界値からどのような範囲に位置するか（限界値近似）の判定を行う（ステップ１５ｂ）。
【００５１】
ステップ１５ｂで、限界値を超えていない場合は、再度、パラメータを設定するか否かをユーザーが判断し（ステップ１５ｃ）、入力する場合はステップ１５ｂに戻り、再度推奨値判定を行う。ステップ１５ｃで再度設定を行わない場合はパラメータの設定を完了とする（ステップ１５ｇ）。
【００５２】
ステップ１５ｂで、限界値から一定範囲となっている場合は、音声でユーザーに通知を行う（ステップ１５ｄ）。また、ユーザーが設定したパラメータ以外の設定で、その限界値を変更することができる場合はユーザーにその旨を画面で表示し通知を行い（ステップ１５ｅ）、ユーザーが他のパラメータを設定した場合の条件によりパラメータ設定限界値を変更する（ステップ５ｆ）。パラメータを変更しない場合は再度パラメータの設定を行うかをユーザーに判断させる（ステップ１５ｇ）。
【００５３】
図１６は、本発明の第５の実施態形におけるＭＲＩ装置における図形回転時の限界値（破線）接近に関しての説明図である。図１６において、限界値から一定範囲外にパラメータが設定されている場合（１６ａ、１６ｂ）に対して、限界値から一定範囲内に近づいた場合（１６ｃ）は、音声にて通知を行う。さらに限界値の範囲に近づいた場合（１６ｄ）は、音の発生間隔を短くした、又は大きな音又は周波数を変化させた音声に通知を行う。
【００５４】
図１７は、本発明の第５の実施形態におけるＭＲＩ装置の図形移動時の音声発生による限界値接近に関しての説明図である。図１７において、限界値から一定範囲外にパラメータが設定されている場合（１７ａ、１７ｂ）は音声通知しないが、限界値から一定範囲内に近づいた場合（１７ｃ）は、それを音声にて通知する。さらに限界値の範囲に近づいた場合（１７ｄ）は、音の発生間隔を短くした、又は大きな音又は周波数を変化させた音声に通知を行う。
【００５５】
図１８は、本発明の第５の実施形態におけるＭＲＩ装置の図形移動時の限界値通知に関しての表示説明図である。図１８において、限界値から近くない値にパラメータが設定されている場合（１８ａ、１８ｂ）は音声通知しないが、限界値にある一定範囲内に近づいた場合（１８ｃ）は、それを音声にて通知する。さらに限界値の範囲に近づいた場合（１８ｄ）は、音の発生間隔を短くした、又は大きな音又は周波数を変化させた音声に通知を行う。
【００５６】
以上のように、本発明の第５の実施形態においても、第１の実施形態と同様な効果を得ることができる。
【００５７】
なお、上述した例は、本発明をＭＲＩ装置に適用した場合の例であるが、本発明はＭＲＩ装置のみならず、ＣＴ装置等の他の医用画像診断装置にも適用可能である。
【図面の簡単な説明】
【００５８】
【図１】本発明が適用されるMRI装置の全体概略構成図である。
【図２】本発明における表示画面例を示す図である。
【図３】本発明の第１の実施形態におけるＭＲＩ装置の数値による計測パラメータ設定値の推奨値判定表示方法の動作フローチャートである。
【図４】本発明の第１の実施形態において、パラメータ値が推奨値内のどの位のレベルに位置にするかの表示説明図である。
【図５】本発明の第２の実施形態におけるＭＲＩ装置の図形移動による計測パラメータ設定値の推奨値判定表示方法の動作フローチャートである。
【図６】本発明の第２の実施形態におけるＭＲＩ装置の図形回転時の限界値表示に関しての説明図である。
【図７】本発明の第２の実施形態におけるＭＲＩ装置の図形移動時の限界値表示に関しての表示説明図である。
【図８】第２の実施形態におけるＭＲＩ装置の図形変更時の限界値通知に関しての表示説明図である。
【図９】本発明の第３の実施形態におけるＭＲＩ装置の図形の移動量による計測パラメータ設定値の推奨値判定表示方法の動作フローチャートである。
【図１０】第３の実施形態におけるＭＲＩ装置の図形回転時の限界値接近に関しての説明図である。
【図１１】第３の実施形態におけるＭＲＩ装置の図形移動時の限界値表示に関して表示説明図である。
【図１２】第３の実施形態におけるＭＲＩ装置の図形変更時の限界値に近づくにつれて移動量を小さくことの説明図である。
【図１３】本発明の第４の実施形態におけるＭＲＩ装置の計測パラメータ設定値の推奨値判定表示方法の動作フローチャートである。
【図１４】本発明の第４の実施形態における音声により推奨値から外れたことを音声で通知する説明図である。
【図１５】本発明の第５の実施態形におけるＭＲＩ装置の図形の移動量による計測パラメータ設定値の推奨値判定表示方法の動作フローチャートである。
【図１６】本発明の第５の実施態形におけるＭＲＩ装置における図形回転時の限界値（破線）接近に関しての説明図である。
【図１７】本発明の第５の実施形態におけるＭＲＩ装置の図形移動時の音声発生による限界値接近に関しての説明図である。
【図１８】本発明の第５の実施形態におけるＭＲＩ装置の図形移動時の限界値通知に関しての表示説明図である。
【符号の説明】
【００５９】
１            パラメータ設定装置
１ａ          ＣＰＵ
１ｂ          ディスプレイ
１ｃ          マウス
１ｄ          キーボード
２            ＭＲ制御ユニット
３            ガントリー
４            数値によるパラメータ設定領域
５            図形によるパラメータ設定領域
【図１】
2008000176.tif 000003
【図２】
2008000176.tif 000004
【図３】
2008000176.tif 000005
【図４】
2008000176.tif 000006
【図５】
2008000176.tif 000007
【図６】
2008000176.tif 000008
【図７】
2008000176.tif 000009
【図８】
2008000176.tif 000010
【図９】
2008000176.tif 000011
【図１０】
2008000176.tif 000012
【図１１】
2008000176.tif 000013
【図１２】
2008000176.tif 000014
【図１３】
2008000176.tif 000015
【図１４】
2008000176.tif 000016
【図１５】
2008000176.tif 000017
【図１６】
2008000176.tif 000018
【図１７】
2008000176.tif 000019
【図１８】
2008000176.tif 000020